(57)【要約】【課題】パワーユニットが上下揺動しても、リザーブタンクの大気開放部からの冷却水の漏れを積極的に抑えることができる鞍乗型車両のリザーブタンク構造。【解決手段】車体フレーム２に上下揺動自在に支承されたパワーユニット３を備えた鞍乗型車両１のリザーブタンク構造において、パワーユニットは、車幅方向一方側に配置される動力伝達機構51,52を有するとともに、車両幅方向他方側に冷却水用のリザーブタンク９を備え、リザーブタンクは、上側タンク９Ａと下側タンク９Ｂの２つから構成され、その前後方向一方側において、上側タンクは給水口91および大気開放部92を有し、前後方向他方側において、上側タンクと下側タンクとを連通する連通部93が備えられた鞍乗型車両のリザーブタンク構造。【選択図】図５
2016101765.tif 000002
【特許請求の範囲】
【請求項１】
車体フレーム(２)に上下揺動自在に支承されたパワーユニット(３)を備えた鞍乗型車両(１)のリザーブタンク構造において、
前記パワーユニット(３)は、車幅方向一方側に配置される動力伝達機構(51,52)を有するとともに、車両幅方向他方側に冷却水用のリザーブタンク(９)を備え、
前記リザーブタンク(９)は、上側タンク(９Ａ)と下側タンク(９Ｂ)の２つから構成され、その前後方向一方側において、前記上側タンク(９Ａ)は給水口(91)および大気開放部(92)を有し、前後方向他方側において、前記上側タンク(９Ａ)と下側タンク(９Ｂ)とを連通する連通部(93)が備えられたことを特徴とする鞍乗型車両のリザーブタンク構造。
【請求項２】
前記連通部(93)は、前記上側タンク(９Ａ)および下側タンク(９Ｂ)の前部に設けられたことを特徴とする請求項１に記載の鞍乗型車両のリザーブタンク構造。
【請求項３】
前記上側タンク(９Ａ)は、斜め後ろ上がりになるように配置されたことを特徴とする請求項２に記載の鞍乗型車両のリザーブタンク構造。
【請求項４】
前記リザーブタンク(９)は、後方上面にて前記給水口(91)を備えるとともに、前部底壁において下方向に延びる回動支軸(96)を備え、同回動支軸(96)を中心に回動することを特徴とする請求項２または請求項３に記載の鞍乗型車両のリザーブタンク構造。
【請求項５】
前記下側タンク(９Ｂ)は、水量確認用目盛(94)を有するとともに、前後方向に長尺の上方長方部(９Ｂａ)と、同上方長方部(９Ｂａ)の後部において下方に膨出する下方膨出部(９Ｂｂ)から構成され、
前記上方長方部(９Ｂａ)の前部に前記連通部(93)が設けられるとともに、前記下方膨出部(９Ｂｂ)には前記連通部(93)より後方側、且つ下方においてラジエータ(45)へ接続されるラジエータ接続部(95)が設けられたことを特徴とする請求項２ないし請求項４のいずれか一項に記載の鞍乗型車両のリザーブタンク構造。
【請求項６】
前記リザーブタンク(９)を覆うリザーブタンクカバー(100)が備えられ、同リザーブタンクカバー(100)は、前記パワーユニット(３)に取付けられたリヤフェンダ(８)に前記リザーブタンク(９)と共締めされるとともに、
前記リザーブタンクカバー(100)には、前記水量確認用目盛(94)に対応する個所に開口部(101)が設けられたことを特徴とする請求項５に記載の鞍乗型車両のリザーブタンク構造。
【発明の詳細な説明】
【技術分野】
【０００１】
本発明は、大気開放部からの冷却水の流出を抑制できる鞍乗型車両のリザーブタンク構造に関する。
【背景技術】
【０００２】
冷却水用のリザーブタンクが鞍乗型車両のユニットスイング式のパワーユニットに取付けられたリヤフェンダ部に取付けられているものが、例えば下記特許文献１に示されている。
下記特許文献１に示されるものにおいては、リザーブタンクはユニットスイング部（リヤフェンダ部）に取付けられるので、収納ボックスやステップフロアに取付ける場合の干渉やスペースを気にせずに、リザーブタンクを設置することができるが、リザーブタンクがユニットスイング部（リヤフェンダ部）に取付けられると、リザーブタンクが受ける振動が大きくなってしまい、リザーブタンク内の冷却水がリザーブタンクの大気開放部へ流れ込んで流出する恐れがある。
【先行技術文献】
【特許文献】
【０００３】
【特許文献１】特開２０１３−１０３５５９号公報（図２〜図７）
【発明の概要】
【発明が解決しようとする課題】
【０００４】
本発明は、上記従来技術に鑑みてなされたものであり、車体フレームに上下揺動自在に支承されたパワーユニットを備えた鞍乗型車両のリザーブタンク構造において、パワーユニットが上下揺動しても、リザーブタンク内の冷却水の動きが抑制され、リザーブタンクの大気開放部からの冷却水の漏れを積極的に抑えることができる鞍乗型車両のリザーブタンク構造を提供することを課題とする。
【課題を解決するための手段】
【０００５】
上記の課題を解決するために、請求項１に記載の発明は、車体フレームに上下揺動自在に支承されたパワーユニットを備えた鞍乗型車両のリザーブタンク構造において、前記パワーユニットは、車幅方向一方側に配置される動力伝達機構を有するとともに、車両幅方向他方側に冷却水用のリザーブタンクを備え、前記リザーブタンクは、上側タンクと下側タンクの２つから構成され、その前後方向一方側において、前記上側タンクは給水口および大気開放部を有し、前後方向他方側において、前記上側タンクと下側タンクとを連通する連通部が備えられたことを特徴とする鞍乗型車両のリザーブタンク構造である。
【０００６】
請求項２に記載の発明は、請求項１に記載の鞍乗型車両のリザーブタンク構造において、前記連通部は、前記上側タンクおよび下側タンクの前部に設けられたことを特徴とする。
【０００７】
請求項３に記載の発明は、請求項２に記載の鞍乗型車両のリザーブタンク構造において、前記上側タンクは、斜め後ろ上がりになるように配置されたことを特徴とする。
【０００８】
請求項４に記載の発明は、請求項２または請求項３に記載の鞍乗型車両のリザーブタンク構造において、前記リザーブタンクは、後方上面にて前記給水口を備えるとともに、前部底壁において下方向に延びる回動支軸を備え、同回動支軸を中心に回動することを特徴とする。
【０００９】
請求項５に記載の発明は、請求項２ないし請求項４のいずれか一項に記載の鞍乗型車両のリザーブタンク構造において、前記下側タンクは、水量確認用目盛を有するとともに、前後方向に長尺の上方長方部と、同上方長方部の後部において下方に膨出する下方膨出部から構成され、前記上方長方部の前部に前記連通部が設けられるとともに、前記下方膨出部には前記連通部より後方側、且つ下方においてラジエータへ接続されるラジエータ接続部が設けられたことを特徴とする。
【００１０】
請求項６に記載の発明は、請求項５に記載の鞍乗型車両のリザーブタンク構造において、前記リザーブタンクを覆うリザーブタンクカバーが備えられ、同リザーブタンクカバーは、前記パワーユニットに取付けられたリヤフェンダに前記リザーブタンクと共締めされるとともに、前記リザーブタンクカバーには、前記水量確認用目盛に対応する個所に開口部が設けられたことを特徴とする。
【発明の効果】
【００１１】
請求項１に記載の発明の鞍乗型車両のリザーブタンク構造によれば、上下揺動自在に支承されたパワーユニットにリザーブタンクが備えられたために冷却水がリザーブタンク内を大きく動こうとすることに対し、リザーブタンクが上下に分かれており、且つ上側タンクと下側タンクとの連通部と大気開放部とが前後方向に離れて配置されているので、下側タンクから上側タンクへ移動した冷却水が大気開放部へ移動するための距離が延び、冷却水の動きが抑制され、大気開放部からの冷却水の流出を抑えることができる。
【００１２】
請求項２の発明によれば、請求項１の発明の効果に加え、リザーブタンクの揺動軸は、パワーユニットの揺動軸であり車両前後方向でリザーブタンクの前方にあり、リザーブタンクは後部になるほど揺れが大きくなるが、連通部をリザーブタンクの前部に設けたことで、連通部の揺れが抑えられ、揺れによって連通部を流れる冷却水を抑制することができる。
【００１３】
請求項３の発明によれば、請求項２の発明の効果に加え、上側タンクが斜め後ろ上がりに配置されていることで、上側タンクに流れてきた冷却水を積極的に前方の連通部に移動させ、下側タンクへ流すことを可能としている。
【００１４】
請求項４の発明によれば、請求項２または請求項３の発明の効果に加え、リザーブタンクが、前部にある回動支軸を中心として回動することで、リザーブタンク後方上面に備えられた給水口を、車両幅方向外側に動かすことが可能となり、給水などのメンテナンスを容易にすることができる。
【００１５】
請求項５の発明によれば、請求項２ないし請求項４のいずれか一項の発明の効果に加え、下側タンクにおいて、下方に膨出する下方膨出部を備えることで、冷却水を積極的にラジエータ接続部がある下方膨出部に集めることができ、ラジエータとの冷却水の受給が容易となるほか、水量確認用目盛で冷却水の水位を確認することが容易となる。
また、連通部より後方側の下方膨出部に冷却水が集まることで、上方長方部における冷却水は必然的に少なくなり、上方長方部の前部に設けられた連通部への、走行中の振動などによる冷却水の浸入を抑えることができる。
【００１６】
請求項６の発明によれば、請求項５の発明の効果に加え、リザーブタンクとリザーブタンクカバーが共締めされることで、部品点数が削減され、リザーブタンクの冷却水の水量確認目盛に対応する個所に開口部が設けられることで、水量の確認を容易にすることが可能となる。
【図面の簡単な説明】
【００１７】
【図１】本発明の一実施形態に係る鞍乗型車両のリザーブタンク構造を備えたスクータ型自動二輪車の全体右側面図である。
【図２】車体カバー、燃料タンク等を外した本実施形態のスクータ型自動二輪車の要部右側面図である。
【図３】図２中ＩＩＩ−ＩＩＩ矢視による、本実施形態のスクータ型自動二輪車の要部上面図である。
【図４】図２のリザーブタンクにリザーブタンクカバーを取付けたその周囲の拡大右側面図である。
【図５】図４において、リザーブタンクカバーを外したリザーブタンクの右側面図である。
【図６】図５中ＶＩ−ＶＩ矢視による、リザーブタンクカバーを外したリザーブタンクの上面図である。
【図７】図６中ＶＩＩ−ＶＩＩ矢視による、リザーブタンクカバーを取付けたリザーブタンクの縦断面図であり、回動支軸によるリザーブタンクの回動支持を示す。
【図８】（ａ）部はリザーブタンクの、（ｂ）部はリザーブタンクカバーの立体形状説明図であり、右斜め後方から見た外側部斜視図である。
【図９】（ａ）部はリザーブタンクの、（ｂ）部はリザーブタンクカバーの立体形状説明図であり、前方から見た前側斜視図である。
【図１０】（ａ）部はリザーブタンクの、（ｂ）部はリザーブタンクカバーの立体形状説明図であり、左斜め前方から見た内側部斜視図である。
【発明を実施するための形態】
【００１８】
図１から図１０に基づき、本発明の一実施形態に係る鞍乗型車両のリザーブタンク構造につき説明する。
特許請求の範囲および本明細書の説明における前後左右上下等の向きは、本実施形態のリザーブタンク構造を備えた鞍乗型車両の向きに従うものとする。本実施形態において鞍乗型車両はスクータ型自動二輪車である。
図中矢印ＦＲは車両前方を、ＬＨは車両左方を、ＲＨは車両右方を、ＵＰは車両上方を、それぞれ示す。
【００１９】
図１は、本発明の実施形態に係るスクータ型自動二輪車（本発明における「鞍乗型車両」。以下、単に「自動二輪車」という。）１の、車体カバー19、乗車用シート12を２点鎖線で簡略図示した左側面図である。
【００２０】
自動二輪車１は、車体前部１Ａと車体後部１Ｂとが、低いフロア部１Ｃを介して連結されており、車体の骨格をなす車体フレーム２は、概ねダウンチューブ21とメインパイプ22とからなる。
すなわち車体前部１Ａのヘッドパイプ20からダウンチューブ21が下方へ延出し、ダウンチューブ21は下端で水平に屈曲してフロア部１Ｃの下方を後方へ延び、その後端において左右一対のメインパイプ22が連結され、連結部からメインパイプ22は斜め後方に立ち上がって所定高さで略水平に屈曲して後方に延びている。
【００２１】
メインパイプ22の立ち上がり傾斜部には燃料タンク10が、タンク底部を左右のメインパイプ22に挟まれるように支持され、さらに後方に延びるメインパイプ22の水平部にはキャリヤ11が設けられており、燃料タンク10の上に乗車用シート12が配置されている。
一方、車体前部１Ａにおいては、ヘッドパイプ20に軸支されて上方にハンドル13が設けられ、下方にフロントフォーク14が延びてその下端に前輪15が軸支されている。
車体フレーム２および固定された機器は車体カバー19に概ね覆われている。
【００２２】
メインパイプ22の立ち上がり部分にブラケット23が突設され、ブラケット23にリンク部材24を介してパワーユニット３が揺動可能に連結支持されている。
パワーユニット３は、その前部がクランクケース30に図示しないクランク軸を車幅方向に配向し回転自在に支持した単気筒４ストロークの水冷式内燃機関（以下、単に「内燃機関」という）４であり、図２に示すように、クランクケース30からから前方にシリンダブロック41、シリンダヘッド42、シリンダヘッドカバー43が順次重ねられて結合され、シリンダ軸線が水平近くまで大きく前傾した姿勢をしている。
【００２３】
パワーユニット３は、クランクケース30の下端前部から前方に突出したハンガーブラケット31の端部がリンク部材24にピボット軸24ａを介して連結され、上下揺動自在に支持されている。
なお、クランクケース30の下端後部にメインスタンド16が揺動して起伏自在に軸支されており、倒伏したときは後輪17を前方から跨ぐようにして略水平に収納される。
【００２４】
図３に示されるように、パワーユニット３は内燃機関４から左側に偏って後方に向けてベルト式無段変速機（本発明における「動力伝達機構」の部分）51が構成され、その後部に設けられた減速機構（本発明における「動力伝達機構」の部分）52の出力軸である後輪車軸53が右方に突出しており、後輪車軸53に後輪17が片持ち支持されている。
ベルト式無段変速機51と減速機構52が、内燃機関４より後方に延設される動力伝達機構である。
【００２５】
クランクケース30は、左右割りの左クランクケース30Ｌと右クランクケース30Ｒとを合体して構成されるもので、右クランクケース30Ｒは、クランクケース部の右半体をなし、左クランクケース30Ｌは、前部がクランクケース部の左半体をなすとともに、後方に膨出して前後に長尺のベルト式無段変速機51を収容する伝動ケースを兼ねる。
【００２６】
左クランクケース（伝動ケース）30Ｌの前後長尺の左側開放面は、伝動ケースカバー32により覆われ、内部にベルト式無段変速機51が収納され、後部の右側開放面は減速機ケース33により覆われ、内部に減速機構52が収納される。
減速機ケース33とメインパイプ22の後部間にリヤクッション18が介装されている（図１参照）。
【００２７】
図２に示されるように、パワーユニット３の内燃機関４の前方に大きく前傾したシリンダヘッド42の上部から吸気管60が延出して後方に湾曲し、吸気管60に接続されたスロットルボディ61がシリンダブロック41の上方に位置し、スロットルボディ61に連結管62を介して連結されるエアクリーナ63がベルト式無段変速機51の上方に左クランクケース（伝動ケース）30Ｌに支持されて配設されている（図３参照）。
【００２８】
一方、シリンダヘッド42の下部から下方に延出した排気管65は、右方へ屈曲してクランクケース30の下端から突出した右側のハンガーブラケット31の外側を廻り込むようにしてクランクケース30の下端部側方を後方に延びて、後輪17の右側に配設される排気マフラー66に接続されている。
内燃機関４の右クランクケース30Ｒの右側には内燃機関４の冷却水を空冷するためのラジエータ45が配設され、その外側をラジエータカバー46が覆っており（図３参照）、排気管65は、ラジエータ45の下方をラジエータカバー46の下端縁に沿って後方に延びている。
【００２９】
したがって、図３に示されるように、後輪車軸53に取り付けられ片持ち支持される後輪17を挟んで、左側にベルト式無段変速機51や減速機構62等の動力伝達機構が配設され、右側にラジエータ45と排気マフラー66が配設される。
排気マフラー66の外面には、プロテクタ67が排気マフラー66を側方から覆うように取り付けられる（図１、図３参照）。
プロテクタ67は、排気マフラー66の側面の略全体を覆うとともに、前後面および上面の外側半分程を覆っており、乗員や荷台への排気マフラー66の熱の影響を低減している。
【００３０】
排気マフラー66は、排気マフラー66に溶接されるマフラー支持ステー７によって内燃機関４のクランクケース30に支持される。
排気マフラー66の前部に溶接されて一体に取り付けられたマフラー支持ステー７は、図２に示されるように、前方に延出した上側取付腕部７ａと下側取付腕部７ｂがステー取付ボルト71、72によって内燃機関４の右クランクケース30Ｒに固着されて、排気マフラー66がマフラー支持ステー７を介して右クランクケース30Ｒに取り付けられ、後輪17の右側に配設される。
なお、排気マフラー66の後部下端に連結ブラケット68が溶接されている。
【００３１】
図２に示されるように、後輪17のタイヤ17ａの略上半部をリヤフェンダ８が覆っており、リヤフェンダ８は、後輪17のタイヤ17ａの外形を一回り大きくした断面Ｕ字状をした円環形状の上半部の半円環形状をしており、後輪17の上方および前後を覆う。
図３に示されるように、断面Ｕ字状をしたリヤフェンダ８における円弧状周壁の左側前部から左方に取付ブラケット８ａが延出している。
また、断面Ｕ字状をしたリヤフェンダ８における円弧状周壁の左側後下端部から前方に取付ブラケット８ｂが突出し、右側後下端部には取付ブラケット８ｃが形成されている。
【００３２】
リヤフェンダ８の左側前部の取付ブラケット８ａは、左クランクケース（伝動ケース）
30Ｌの上に配設されるエアクリーナ63のフェンダ取付ボス部63ａにフェンダ取付ボルト81により取り付けられ、リヤフェンダ８の左側壁の後下端から前方に突出した取付ブラケット８ｂは、左クランクケース（伝動ケース）30Ｌの後部からさらに後方に突出した支持ブラケット30Lbにフェンダ取付ボルト82により取り付けられる。
【００３３】
一方、後輪17の右側に配設される排気マフラー66の後部下端に溶接された連結ブラケット68に前端が締結された連結ステー68ａが後方に突設されている（図２参照）。
リヤフェンダ８の右側壁の後下端の取付ブラケット８ｃは、排気マフラー66の後部下端の連結ブラケット68から突設された連結ステー68ａの後端部にフェンダ取付ボルト83により取り付けられる。
【００３４】
したがって、リヤフェンダ８は、左側前部の取付ブラケット８ａがエアクリーナ63に取り付けられ、左側壁の後下端の取付ブラケット８ｂが左クランクケース（伝動ケース）30Ｌに取り付けられ、右側壁の後下端の取付ブラケット８ｃが排気マフラー66に連結ステー68ａを介して取り付けられて、パワーユニット３に支持され、パワーユニット３と供に上下揺動する。
【００３５】
図２ないし図３を参照して、リヤフェンダ８における円弧状周壁の右側前上部から右方に支持ブラケット８ｄが突出して形成されるとともに、円弧状周壁の支持ブラケット８ｄより後方の右側中央上部から右方に支持ブラケット８ｅが突出して形成されている。
また、排気マフラー66を支持するマフラー支持ステー７のステー中央部７ｃに、リザーブタンク９を支持するリザーブタンク支持ステー90が溶接されて立設されている（図２参照）。
【００３６】
本実施形態においては、ラジエータ45の上部にあるラジエータキャップ45ａ内と連通するように配管されたリザーブタンク９が、車両幅方向でラジエータ45と同じ側、すなわち、ベルト式無段変速機51等の動力伝達機構と反対側の右側においてリザーブタンク支持ステー90に支持されて設けられており、すなわち車体フレーム２に上下揺動自在に支承されたパワーユニット３にリザーブタンク９が備えられている。
そして、ラジエータ45内の冷却水が高温となって膨張したときは余分な冷却水がリザーブタンク９に溢流し、ラジエータ45内の冷却水が低温となったときにはリザーブタンク９からラジエータ45に冷却水が戻される。
そのようなラジエータ45とリザーブタンク９の間の冷却水の流通により、ラジエータ45側に溜まっていたエアーがリザーブタンク９に排出され、リザーブタンク９は大気に開放される構造となっているため、水冷系からのエアー抜きが良好に行われる。
【００３７】
図２に示されるように、リザーブタンク支持ステー90は、下部がマフラー支持ステー７に溶接され上方に突出する支柱部90ａと、支柱部90ａの上端に張設された水平基盤90ｂと、水平基盤90ｂの側縁から上方に屈曲して形成された取付ブラケット部90ｃとから概ね構成されている。
リザーブタンク支持ステー90の取付ブラケット部90ｃは、リヤフェンダ８の円弧状周壁の右側前上部の支持ブラケット８ｄに左側から当接してステー取付ボルト84により固着される。
このようにしてマフラー支持ステー７に溶接され、リヤフェンダ８に取り付けられて支持されたリザーブタンク支持ステー90に、リザーブタンク９が支持される。
【００３８】
図２に示されるように、リザーブタンク９は、それぞれ前後に長尺の上側タンク９Ａと下側タンク９Ｂの２つから構成され、その前後方向後方側において、上側タンク９Ａは上方にキャップ91ａで開閉される給水口91、および大気開放部92を有し、前後方向前方側において、上側タンク９Ａと下側タンク９Ｂとを連通する後述の連通部93が備えられている。
また、下側タンク９Ｂは、透視可能な壁部に水量確認用目盛94を有するとともに、下部においてラジエータ45へ接続されるラジエータ接続部95が設けられている。
したがって、本実施形態では、リザーブタンク９は、冷却水の液位を目視可能な程度に透明な樹脂の成型品となっている。
【００３９】
下側タンク９Ｂの前部は、リザーブタンク支持ステー90の水平基盤90ｂの上に載り、下側タンク９Ｂの前部底壁から下方に突設された回動支軸96が水平基盤90ｂのグロメット軸受部90ｄ（図７参照）に挿入され、略鉛直方向に指向した回動支軸96を中心に左右に揺動自在に、リザーブタンク９は支持される。
リザーブタンク９の後壁から後部取付ブラケット97が後方に突出しており、後部取付ブラケット97の後端部がリヤフェンダ８の右側中央上部の支持ブラケット８ｅにタンク・カバー取付ボルト85により取付けられることで、リザーブタンク９は固定される。
【００４０】
リザーブタンク９の下側タンク９Ｂから前方に突出したラジエータ接続部95に補給チューブ95ａが接続され、補給チューブ95ａは、ラジエータ45の上部のラジエータキャップ45ａ内と連通するように接続されて、ラジエータ45内の冷却水の高温、低温に伴う前述の冷却水の受給が行われる。
上側タンク９Ａの給水口91からは、予備冷却水として冷却水の補給を行うことができる。また、リザーブタンク９の給水口91から前方に突出した大気開放部92には、大気開放チューブ92ａの一端が接続され、大気開放チューブ92ａの他端は車体カバー19の内側で大気側に開口しているので、ラジエータ4からリザーブタンク９に送り込まれたエアーが大気に排出され、水冷系からのエアー抜きが行われる。
【００４１】
リザーブタンク９には、リザーブタンクカバー100が右側から被せられる。
リザーブタンクカバー100は、リヤフェンダ８の支持ブラケット８ｅに、リザーブタンク９とともにタンク・カバー取付ボルト85により共締めされて取り付けられる。
また、図３を参照して、排気マフラー66を支持するマフラー支持ステー７の上方に配置されるリザーブタンク９は、タンク・カバー取付ボルト85の取り外しでリザーブタンクカバー100を取り除いて、外部に露出することができる。
この露出状態にあってリザーブタンク支持ステー90に前部を支持されたリザーブタンク９を、略鉛直方向に指向した回動支軸96を中心に右方に回動することで、車両前後方向に対して垂直右方に位置させることができ（図３に２点鎖線で示す）、リザーブタンク９の回動移動によってリザーブタンク９への給水作業を容易に行える。
【００４２】
以下、図４から図１０によって、リザーブタンク９およびリザーブタンクカバー100等の詳細を説明する。
図４において、リザーブタンク９は、その外側（右側）にリザーブタンクカバー100を装着して示される。
リザーブタンクカバー100には、リザーブタンク９の水量確認用目盛94に対応する部分に縦長の開口部101が形成されていて、内部の水量確認目盛94が目視でき外部からリザーブタンク９内の予備冷却水の量（水位）の目視点検、確認を容易に行うことができる。
【００４３】
リザーブタンクカバー100の後部膨出部102は、リザーブタンク９の後部取付ブラケット97を覆い、タンク・カバー取付ボルト85で、リヤフェンダ８の支持ブラケット８ｅ（図５参照）に後部取付ブラケット97とともに共締めで締結される。リザーブタンクカバー100の前部周壁103は、後述のようにリザーブタンク９の前部係止突起98（図５参照）に係止される。
【００４４】
図５は、図４におけるリザーブタンクカバー100を外したリザーブタンク９とその周辺の右側面図であり、マフラー支持ステー７は図示省略されている。
図６は、図５中ＶＩ−ＶＩ矢視による、リザーブタンクカバー100を外したリザーブタンク９の上面図である。
なお、図８〜図１０は、それぞれ（ａ）部にリザーブタンク９の単体図を、（ｂ）部にリザーブタンクカバー100の単体図を、斜視図として示すものであり、図８は右斜め後方から見た外側部斜視図、図９は前方から見た前側斜視図、図１０は左斜め前方から見た内側部斜視図であり、以下、リザーブタンク９とリザーブタンクカバー100の立体形状の説明図として、図８〜図１０も参照するものとする。
【００４５】
図５、図６に示されるように、リザーブタンク９は、それぞれ前後に長尺の上側タンク９Ａと下側タンク９Ｂの２つから構成され、上側タンク９Ａは、前後方向後方側において上面から上方に延在しキャップ91ａで開閉される給水口91を有し、給水口91の上下中ごろに前方に突設されたノズル状の大気開放部92を有している。下側タンク９Ｂは、上側タンク９Ａより幅広で上下高さも大きい。
【００４６】
上側、下側タンク９Ａ、９Ｂは前後方向前方側において、両タンク９Ａ、９Ｂを連通する上下方向の連通孔93ａを有する連通部93を備えており、連通部93から後部に向けて両タンク９Ａ、９Ｂ間を一体に連結する上下方向板状の連結部99が延在し、さらにリザーブタンク９の後壁より後方へと上下方向板状の後部取付ブラケット97として突出している（図８参照）。
【００４７】
下側タンク９Ｂは、前後方向に長尺の上方長方部９Ｂａと、上方長方部９Ｂａの後部に
おいて下方に膨出する下方膨出部９Ｂｂから構成され、下方膨出部９Ｂｂには連通部93より後方側、且つ下方において、ラジエータ45のラジエータキャップ45ａ内へ（図２参照）接続されるノズル状のラジエータ接続部95が前方へ向けて突設されている（図１０参照）。
また、下側タンク９Ｂには、上下高さのある下方膨出部９Ｂｂにかけて、透視可能な壁部に水量確認用目盛94が設けられている（図８参照）。
【００４８】
図２に示されるように、ラジエータ接続部95には補給チューブ95ａが接続され、補給チューブ95ａは、ラジエータ45の上部のラジエータキャップ45ａ内と連通するように接続されて、ラジエータ45内の冷却水の高温、低温に伴う前述の冷却水の受給が行われる。
大気開放部92には、大気開放チューブ92ａの一端が接続され、大気開放チューブ92ａの他端は車体カバー19の内側で大気側に開口しており、ラジエータ４からリザーブタンク９に送り込まれたエアーが大気に排出され、水冷系からのエアー抜きが行われる。
【００４９】
本実施形態では、下側タンク９Ｂにおいて、下方に膨出する下方膨出部９Ｂｂを備えたので、冷却水を積極的にラジエータ接続部95がある下方膨出部９Ｂｂに集めることができ、ラジエータ45との冷却水の受給が容易となるほか、水量確認用目盛94で冷却水の水位を確認することが容易となる。
また、連通部53より後方側の下方膨出部９Ｂｂに冷却水が集まることで、上方長方部９Ｂａにおける冷却水は必然的に少なくなり、上方長方部９Ｂａの前部と上側タンク９Ａとの間に設けられた連通部93への、走行中の振動などによる冷却水の浸入を抑えることができる。
【００５０】
本実施形態においては、上下揺動自在に支承されたパワーユニット３にリザーブタンク９が備えられているので、冷却水がリザーブタンク９内を大きく動こうとするが、上記のようなリザーブタンク９の構造では、リザーブタンク９が上、下側タンク９Ａ、９Ｂに分かれており、さらに、上側タンク９Ａと下側タンク９Ｂとの連通部93と大気開放部92が前後方向に離れて配置されている。
したがって、下側タンク９Ｂから上側タンク９Ａへ冷却水が移動しても、さらに大気開放部92へ移動するための距離があるため、冷却水の動きが抑制され、大気開放部92からの冷却水の流出を抑えることができる。
【００５１】
また、上下揺動自在に支承されたパワーユニット３にリザーブタンク９が備えられたことで、リザーブタンク９の上下揺動軸は、パワーユニット３の上下揺動軸となり、車両前後方向でリザーブタンク９の前方にあり、リザーブタンク９の後部になるほど揺れが大きくなる。
つまり、上、下側タンク９Ａ、９Ｂの連通部93がリザーブタンク９の前部に設けられているので、上下揺動による連通部93付近における冷却水の揺れが小さくなり、揺れによる連通部93の冷却水の流れを抑制することができるものとなっている。
【００５２】
また、図５に示されるように、上側タンク９Ａは、斜め後ろ上がりになるように配置されている。したがって、揺れに伴い下側タンク９Ｂから連通部93を介して上側タンク９Ａに冷却水が流入しても、冷却水を前方の連通部93に積極的に移動させることができ、連通部93から下側タンク９Ｂに冷却水を戻すことができる。
【００５３】
図５に示されるように、リザーブタンク９の後部取付ブラケット97には、タンク取付け孔97ａが設けられている。
また、下側タンク９Ｂの先端には上下方向板状の前部係合突起98が一体に形成されている（図９、１０参照）。
そして、下側タンク９Ｂの上方長方部９Ｂａの前部底壁には下方向に延びる回動支軸96が一体に形成されて備えられている（図８〜１０参照）。
下側タンク９Ｂの上方長方部９Ｂａの前部は、リザーブタンク支持ステー90の水平基盤90ｂの上に載り、下側タンク９Ｂの前部底壁から下方に突設された回動支軸96が水平基盤90ｂのグロメット軸受部90ｄ（図７参照）に挿入され、略鉛直方向に指向した回動支軸96を中心に回動し、左右に揺動自在にリザーブタンク９は支持される。
【００５４】
一方、リザーブタンク９を覆うリザーブタンクカバー100には、図６に示されるように、その前部周壁103に下側タンク９Ｂ先端の前部係合突起98が貫通係合するタンク係合孔104が設けられている（図９、１０参照）。
また、後部膨出部102には、リザーブタンク９上に取付けられたときに、リザーブタンク９のタンク取付け孔97ａと位置が一致するように、タンク・カバー取付ボルト85を挿通させるためのカバー取付け孔105が設けられている（図８参照）。
【００５５】
しかして、回動支軸96によって水平基盤90ｂ上に左右揺動自在に支持されたリザーブタンク９の前部係合突起98に、リザーブタンクカバー100のタンク係合孔104を係合させて、回動支軸96周りにリザーブタンク９とリザーブタンクカバー100とを回動させて、リヤフェンダ８の支持ブラケット８ｅに当接させ、カバー取付け孔105とタンク取付け孔97ａとを通してタンク・カバー取付ボルト85を支持ブラケット８ｅに締結させることで、リザーブタンク９とリザーブタンクカバー100が共締めで固定される。
【００５６】
そのような固定法により、リザーブタンク９とリザーブタンクカバー100が共締めされることで、部品点数が削減されている。
また、タンク・カバー取付ボルト85を抜き、リザーブタンクカバー100を外しても、リザーブタンク９は回動支軸96によって水平基盤90ｂ上に支持されているから、露出したリザーブタンク９が、前部にある回動支軸96を中心として回動することで、リザーブタンク９の後方上面に備えられた給水口91を、車両幅方向外側に動かして車両前後方向に対し垂直右方に位置させることができ、給水などのメンテナンスが容易である。
【００５７】
図７は、図６中ＶＩＩ−ＶＩＩ矢視による、リザーブタンクカバー100を取付けたリザーブタンク９の縦断面図であり、回動支軸96によるリザーブタンク９の回動支持状態を示す。
下側タンク９Ｂの上方長方部９Ｂａの前部は、リザーブタンク支持ステー90の水平基盤90ｂの上に載り、下側タンク９Ｂの上方長方部９Ｂａの前部底壁に一体に形成され下方向に延びる回動支軸96は、水平基盤90ｂのグロメット軸受部90ｄに挿入されている。
リザーブタンク９は、略鉛直方向に指向した回動支軸96を中心に回動し、左右に揺動自在に支持される。
図７にはまた、リザーブタンク９の大気開放部92が大気開放チューブ92ａに接続され、ラジエータ接続部95が補給チューブ95ａに接続された状態が示される。
【００５８】
以下、本実施形態の自動二輪車１のリザーブタンク構造の特徴的構成と、その作用効果をまとめて述べる。
すなわち、車体フレーム２に上下揺動自在に支承されたパワーユニット３を備えた自動二輪車１のリザーブタンク構造において、パワーユニット３は、車幅方向左方側に配置されたベルト式無段変速機1と減速機構52を備える動力伝達機構を有するとともに、車両幅方向右方側に冷却水用のリザーブタンク９を備え、リザーブタンク９は、上側タンク９Ａと下側タンク９Ｂの２つから構成され、その前後方向後方側において、上側タンク９Ａは給水口91および大気開放部92を有し、前後方向前方側において、上側タンク９Ａと下側タンク９Ｂとを連通する連通部93が備えられている。
【００５９】
そのように、上下揺動自在に支承されたパワーユニット３にリザーブタンク９が備えられたために冷却水がリザーブタンク９内を大きく動こうとすることに対し、リザーブタンク９が上下に分かれており、且つ上側タンク９Ａと下側タンク９Ｂとの連通部93と大気開放部92とが前後方向に離れて配置されているので、下側タンク９Ｂから上側タンク９Ａへ移動した冷却水が大気開放部92へ移動するための距離が延び、冷却水の動きが抑制され、大気開放部92からの冷却水の流出を抑えることができる。
【００６０】
また、連通部93は、上側タンク９Ａおよび下側タンク９Ｂの前部に設けられている。
リザーブタンク９の揺動軸は、パワーユニット３の揺動軸であり車両前後方向でリザーブタンク９の前方にあり、リザーブタンク９は後部になるほど揺れが大きくなるが、連通部93をリザーブタンク９の前部に設けたことで、連通部93の揺れが抑えられ、揺れによって連通部93を流れる冷却水を抑制することができる。
【００６１】
また、上側タンク９Ａは、斜め後ろ上がりになるように配置されている。
上側タンク９Ａが斜め後ろ上がりに配置されていることで、上側タンク９Ａに流れてきた冷却水を積極的に前方の連通部93に移動させ、下側タンク９Ｂへ流すことを可能としている。
【００６２】
また、リザーブタンク９は、後方上面にて給水口91を備えるとともに、前部底壁において下方向に延びる回動支軸96を備え、回動支軸96を中心に回動する。
リザーブタンクが、前部にある回動支軸96を中心として回動することで、リザーブタンク９後方上面に備えられた給水口91を、車両幅方向外側に動かすことが可能となり、給水などのメンテナンスを容易にすることができる。
【００６３】
また、下側タンク９Ｂは、水量確認用目盛94を有するとともに、前後方向に長尺の上方長方部９Ｂａと、上方長方部９Ｂａの後部において下方に膨出する下方膨出部９Ｂｂから構成され、上方長方部９Ｂａの前部に連通部93が設けられるとともに、下方膨出部９Ｂｂには連通部93より後方側、且つ下方においてラジエータ45へ接続されるラジエータ接続部95が設けられている。
下側タンク９Ｂにおいて、下方に膨出する下方膨出部９Ｂｂを備えることで、冷却水を積極的にラジエータ接続部93がある下方膨出部９Ｂｂに集めることができ、ラジエータ45との冷却水の受給が容易となるほか、水量確認用目盛94で冷却水の水位を確認することが容易となる。
また、連通部93より後方側の下方膨出部９Ｂｂに冷却水が集まることで、上方長方部９Ｂａにおける冷却水は必然的に少なくなり、上方長方部９Ｂａの前部に設けられた連通部93への、走行中の振動などによる冷却水の浸入を抑えることができる。
【００６４】
そして、リザーブタンク９を覆うリザーブタンクカバー100が備えられ、リザーブタンクカバー100は、パワーユニット３に取付けられたリヤフェンダ８にリザーブタンク９と共締めされるとともに、リザーブタンクカバー100には、水量確認用目盛94に対応する個所に開口部101が設けられている。
リザーブタンク9とリザーブタンクカバー100が共締めされることで、部品点数が削減され、リザーブタンク9の冷却水の水量確認目盛94に対応する個所に開口部101が設けられることで、水量の確認を容易にすることが可能となっている。
【００６５】
以上、本発明に係る一実施形態の鞍乗型車両のリザーブタンク構造につき説明したが、本発明の態様が上記実施形態に限定されず、本発明の各請求項の要旨の範囲で、多様な態様で実施されるものを含むことは勿論である。
例えば、本発明の鞍乗型車両は、車体フレームに上下揺動自在に支承されたパワーユニットを備えた鞍乗型車両ならば実施形態のスクータ型自動二輪車に限らない。
鞍乗型車両の内燃機関は、実施形態の単気筒４ストロークサイクル内燃機関に限定されず、水冷内燃機関であって冷却水用のリザーブタンクを備えることが必要な内燃機関であればよい。
なお、各機器の左右の配置は、説明の便宜上、図示のものに特定して記載したが、上記実施形態に示すものと左右逆となる配置のものであってもよく、本発明に含まれる。
【符号の説明】
【００６６】
１…自動二輪車（スクータ型自動二輪車、本発明における「鞍乗型車両」）、２…車体フレーム、３…パワーユニット、４…内燃機関（水冷式内燃機関）、７…マフラー支持ステー、７ａ…上側取付腕部、７ｂ…下側取付腕部、８…リヤフェンダ、８ｄ…支持ブラケット、８ｅ…支持ブラケット、９…リザーブタンク、９Ａ…上側タンク、９Ｂ…下側タンク、９Ｂａ…上方長方部、９Ｂｂ…下方膨出部、17…後輪、22…メインパイプ、23…ブラケット、24…リンク部材、24ａ…ピボット軸、30…クランクケース、30Ｌ…左クランクケース、30Ｒ…右クランクケース、32…伝動ケースカバー、31…ハンガーブラケット、33…減速機ケース、45…ラジエータ、45ａ…ラジエータキャップ、46…ラジエータカバー、51…ベルト式無段変速機（本発明における「動力伝達機構」の部分）、52…減速機構（本発明における「動力伝達機構」の部分）、71…ステー取付ボルト、72…ステー取付ボルト、84…ステー取付ボルト、85…タンク・カバー取付ボルト、90…リザーブタンク支持ステー、90ａ…支柱部、90ｂ…水平基盤、90ｃ…取付ブラケット部、90ｄ…グロメット軸受部、91…給水口、91ａ…キャップ、92…大気開放部、92ａ…大気開放チューブ、93…連通部、93ａ…連通孔、94…水量確認用目盛、95…ラジエータ接続部、95ａ…補給チューブ、96…回動支軸、97…後部取付ブラケット、97ａ…タンク取付け孔、98…前部係止突起、99…連結部、100…リザーブタンクカバー、101…開口部、102…後部膨出部、103…前部周壁、104…タンク係合孔、105…カバー取付け孔
【図１】
2016101765.tif 000003
【図２】
2016101765.tif 000004
【図３】
2016101765.tif 000005
【図４】
2016101765.tif 000006
【図５】
2016101765.tif 000007
【図６】
2016101765.tif 000008
【図７】
2016101765.tif 000009
【図８】
2016101765.tif 000010
【図９】
2016101765.tif 000011
【図１０】
2016101765.tif 000012